(57)【特許請求の範囲】
【請求項１】
テレビ電話、メール、ホームセキュリティ及び映画等配信サービスを含む複数の機能を選択事項として画面上に一覧表示する手段と、前記選択事項のいずれかを選択する手段と、前記選択事項に係る外部情報を取得する手段と、取得した外部情報を前記画面に表示する手段と、選択された機能に係る複数の選択肢を前記画面に一覧表示する手段と、該選択肢のいずれかを選択する手段と、該選択された選択肢に係る外部情報を前記画面に表示する手段と、装置外部から外部撮像情報を取得する手段と、該外部撮像情報を前記画面に表示する手段と、装置に接続された撮影部の撮像を内部撮像情報として取得する手段と、内部情報を外部に伝送する手段と、前記内部撮像情報を外部に伝送する手段と、音声通話手段と、選択されたテレビ電話以外の機能からテレビ電話機能に移行する手段と、テレビ電話機能から前記テレビ電話以外の機能において移行直前の状態又は移行直前の画面に復帰する手段と、テレビ電話機能の途中において、前記画面に表示された撮像情報表示選択マーク又は選択事項のマークを選択操作して、前記外部撮像情報の表示を非表示に切り換えることにより、前記画面の表示をテレビ電話機能に移行する直前の状態に復帰する手段と、前記音声通話手段による音声通話を継続可能とする手段と、前記選択事項の内、ホームセキュリティを選択することにより、訪問者の撮像情報を前記画面に表示する手段と、訪問者の音声を出力する手段と、訪問者履歴を表示する手段と、メールを選択することにより、前記画面を電子メール画面として表示する手段と、一般的な電子メール機能を使用可能とする手段と、レタックス通信を可能とする手段と、手書き原稿をスキャナーで内部撮像情報として取り込み、電子メールに添付して外部へ伝送する手段と、映画等配信サービスを選択することにより、映画等の配信ガイド項目を画面上に表示する手段と、画面上に表示した配信ガイド項目を選択する手段と、選択した配信ガイド項目に係わる映画等のプレビューを行う手段と、プレビューを通して視聴したい映画等を決定することにより、決定した映画等に係わる映像及び音声を出力する手段とを備えた情報通信装置。
【請求項２】
前記選択事項として表示されるテレビ電話以外の機能は、留守番電話、ＦＡＸ、インターネット、ホームショッピング、郵政サービスである請求項１に記載の情報通信装置。
【請求項３】
前記選択事項の内テレビ電話を選択することにより、又は、テレビ電話機能に移行することにより、前記外部撮像情報を画面上に表示する手段と、音声通話を可能にする手段と、内部撮像情報を外部に伝送する手段とを備えた請求項１又は２に記載の情報通信装置。
【請求項４】
前記画面上の撮像情報表示選択マークを選択操作して、前記画面に内部撮像情報を表示する手段を備えた請求項１〜３に記載の情報通信装置。
【請求項５】
前記選択事項の内、留守番電話を選択することにより、留守番電話受信履歴及び留守番電話受信音声を出力する手段を備えた請求項２に記載の情報通信装置。
【請求項６】
留守番電話受信履歴を一覧表示する手段と、一覧表示した留守番電話受信履歴のいずれかを選択する手段と、選択した留守番電話受信履歴に係わる受信音声を出力する手段とを備えた請求項５に記載の情報通信装置。
【請求項７】
一覧表示された前記選択事項の内、ＦＡＸを選択することにより、受信ＦＡＸ履歴と受信ＦＡＸ情報を画面表示する手段と、受信ＦＡＸ情報を印刷する手段と、送信ＦＡＸ情報を入力する手段と、送信ＦＡＸ情報を外部に伝達する手段とを備えた請求項２に記載の情報通信装置。
【請求項８】
受信ＦＡＸ履歴を前記画面に一覧表示する手段と、一覧表示した受信ＦＡＸ履歴のいずれかを選択する手段と、選択した受信ＦＡＸ履歴に係わる受信ＦＡＸ情報を前記画面に表示する手段を備えた請求項７に記載の情報通信装置。
【請求項９】
一覧表示された前記選択事項の内、インターネットを選択することにより、前記画面をインターネット画面として表示する手段と、一般的なインターネット機能を使用可能とする手段を備えた請求項２に記載の情報通信装置。
【請求項１０】
一覧表示された前記選択事項の内、ホームショッピングを選択することにより、前記画面をインターネットショッピング画面として表示する手段と、一般的なインターネットショッピング機能を使用可能とする手段と、決済用カード情報を外部へ伝達する手段とを備えた請求項２に記載の情報通信装置。
【請求項１１】
一覧表示された前記選択事項の内、ホームショッピングを選択することにより特定のインターネットショッピングサイトに接続する手段と、該インターネットショッピングサイトのショッピングガイドを前記画面に表示する手段と、画面表示したショッピングガイドを選択する手段と、選択したショッピングガイドに係わるショッピング情報を前記画面に表示する手段と、接続したインターネットショッピングサイトの案内人との間で音声通話する音声通話手段と、接続したインターネットショッピングサイトの案内人の画像を前記画面上に表示する手段と、前記画面上の撮像情報表示選択マークを選択することにより画面上に表示したインターネットショッピングサイトの案内人の画像をON/OFF切り換えする手段と、操作者の画像をインターネットショッピングサイトの案内人に伝達する手段とを備えた請求項２又は１０に記載の情報通信装置。
【請求項１２】
一覧表示された前記選択事項の内、ホームセキュリティを選択することにより、人、動物等に装着した医療機器の情報を内部情報として取得する手段と、該内部情報を画面上に表示する手段と、該内部情報を特定の医療機関などに伝達する手段と、前記医療機関からの外部撮像情報を画面上に表示する手段と、該医療機関との間で音声通話する手段と、内部撮像情報を医療機関に伝送する手段とを備えた請求項１に記載の情報通信装置。
【請求項１３】
一覧表示された前記選択事項の内、映画配信サービスを選択することにより、配信サイトの案内人との間で音声通話する音声通話手段と、配信サイトの案内人の画像を画面上に表示する手段と、操作者の画像を配信サイトの案内人に伝送する手段とを備えた請求項１に記載の情報通信装置。
【請求項１４】
一覧表示された前記選択事項の内、郵政サービスを選択することにより、郵政サービスガイド項目を画面上に表示する手段と、画面上に表示した郵政サービスガイド項目のいずれかを選択する手段と、選択した郵政サービスガイド項目に係わるサービス情報を画面上に表示する手段と、選択した郵政サービスガイド項目に係わるサービスの案内人との間で音声通話する音声通話手段と、該案内人の画像を画面上に表示する手段と、操作者の画像をこの案内人に伝送する手段とを備えた請求項２に記載の情報通信装置。
【請求項１５】
前記撮影部に被せたキャップを取り外すことで、内部撮像情報を取得可能とする請求項１に記載の情報通信装置。
【請求項１６】
マザーボードをカセット式にして脱着可能とした請求項１に記載の情報通信装置。
【発明の詳細な説明】
【０００１】
【発明の属する技術分野】
本発明は、家庭用等に好適な情報通信装置に関する。
【０００２】
【従来の技術】
パーソナルコンピュータの普及に伴い、パーソナルコンピュータを使える人と使えない人の情報格差は拡大する傾向にある。これは、パーソナルコンピュータのアプリケーションが汎用性を追求したオールマイティの機能を具備し、素人には殆ど使いこなせない機能まで備えているため、操作の混乱を招いていることが原因であると考える。
回線の常時接続、ブロードバンドなどの進展によってインターネットの利用局面が拡大しているにも関わらず、誰でもが使える専用化したパーソナルコンピュータがないため、技術の進歩から置き去りにされている人がいる。
【０００３】
例えば、家庭で必要とするテレビ電話、留守番電話、ホームセキュリテイー、ショッピング、映画配信、医療相談などを一台のパーソナルコンピュータで実現しようとすると、必要なハードウェアやソフトウェアを選択し、ハードウェア、ソフトウェアをインストールしなければならない。
これを行うためには専門知識が必要であるばかりか、インストール後の操作はそれぞれのハードウェアやソフトウェアに依存するため、統一性がなく複雑であって、とても素人には使えないのが現状である。
【０００４】
【発明が解決しようとする課題】
このような状況では複雑な操作によるミスが発生し、複雑な操作のため必要な機能を使いこなせないという事態が発生する。
また、それぞれの機能の効果的な融合がないため、必要な情報をスムーズに取得できない場合がある。
本発明は上述した実状に鑑みてなされたものであり、その課題は、使いやすくて操作ミスが少なく、最適な選択を行って有効な情報が得られる情報通信装置を提供することである。
【０００５】
【課題を解決するための手段】
本発明の情報通信装置は、テレビ電話、メール、ホームセキュリティ及び映画等配信サービスを含む複数の機能を選択事項として画面上に一覧表示する手段と、前記選択事項のいずれかを選択する手段と、前記選択事項に係る外部情報を取得する手段と、取得した外部情報を前記画面に表示する手段と、選択された機能に係る複数の選択肢を前記画面に一覧表示する手段と、該選択肢のいずれかを選択する手段と、該選択された選択肢に係る外部情報を前記画面に表示する手段と、装置外部から外部撮像情報を取得する手段と、該外部撮像情報を前記画面に表示する手段と、装置に接続された撮影部の撮像を内部撮像情報として取得する手段と、内部情報を外部に伝送する手段と、前記内部撮像情報を外部に伝送する手段と、音声通話手段と、選択されたテレビ電話以外の機能からテレビ電話機能に移行する手段と、テレビ電話機能から前記テレビ電話以外の機能において移行直前の状態又は移行直前の画面に復帰する手段と、テレビ電話機能の途中において、前記画面に表示された撮像情報表示選択マーク又は選択事項のマークを選択操作して、前記外部撮像情報の表示を非表示に切り換えることにより、前記画面の表示をテレビ電話機能に移行する直前の状態に復帰する手段と、前記音声通話手段による音声通話を継続可能とする手段と、前記選択事項の内、ホームセキュリティを選択することにより、訪問者の撮像情報を前記画面に表示する手段と、訪問者の音声を出力する手段と、訪問者履歴を表示する手段と、メールを選択することにより、前記画面を電子メール画面として表示する手段と、一般的な電子メール機能を使用可能とする手段と、レタックス通信を可能とする手段と、手書き原稿をスキャナーで内部撮像情報として取り込み、電子メールに添付して外部へ伝送する手段と、映画等配信サービスを選択することにより、映画等の配信ガイド項目を画面上に表示する手段と、画面上に表示した配信ガイド項目を選択する手段と、選択した配信ガイド項目に係わる映画等のプレビューを行う手段と、プレビューを通して視聴したい映画等を決定することにより、決定した映画等に係わる映像及び音声を出力する手段とを備える。
【０００６】
必要な選択事項を１つの操作で選択可能であり、選択した事項に関する情報を画面で見ながら必要な操作を行うことができる。また、選択した機能の途中で任意にテレビ電話機能に移行し、必要に応じて外部撮像情報等を確認しながら目的の外部情報が得られると共に、音声通話によって質問や確認を行いながら、操作することができる。
選択事項として表示されるテレビ電話以外の機能は、テレビ電話、留守番電話、ＦＡＸ、インターネット、ホームショッピング、郵政サービスとすることがある。
【０００７】
また、スムーズな情報取得を可能とするために、以下のような構成を採用することもできる。
選択事項の内テレビ電話を選択するか、又は、テレビ電話機能に移行することにより、前記外部撮像情報を画面上に表示する手段と、音声通話手段を可能にする手段と、内部撮像情報を外部に伝送する手段とを備えた構成。
画面上の撮像情報表示選択マークを選択して、前記画面に内部撮像情報を表示する手段を備えた構成。
【０００８】
選択事項の内、留守番電話を選択することにより、留守番電話受信履歴及び留守番電話受信音声を出力する手段を備えた構成。
この場合、留守番電話受信履歴を前記画面に一覧表示する手段と、一覧表示した留守番受信履歴のいずれかを選択する手段と、選択した留守番電話受信履歴に係わる受信音声を出力する手段とを備えた構成。
一覧表示された前記選択事項の内、ＦＡＸを選択することにより、受信ＦＡＸ履歴と受信ＦＡＸ情報を画面に表示する手段と、受信ＦＡＸ情報を印刷する手段と、送信ＦＡＸ情報を入力する手段と、送信ＦＡＸ情報を外部に伝達する手段とを備えた構成。
この場合、受信ＦＡＸ履歴を画面に一覧表示する手段と、一覧表示した受信ＦＡＸ履歴のいずれかを選択する手段と、選択した受信ＦＡＸ履歴に係わる受信ＦＡＸ情報を画面表示する手段を備えた構成。
【０００９】
一覧表示された前記選択事項の内、インターネットを選択することにより、画面をインターネット画面として表示する手段と、一般的なインターネット機能を使用可能とする手段を備えた構成。
一覧表示された前記選択事項の内、ホームショッピングを選択することにより、画面をインターネットショッピング画面として表示する手段と、一般的なインターネットショッピング機能を使用可能とする手段と、決済用カード情報を外部へ伝送する手段とを備えた構成。
【００１０】
一覧表示された前記選択事項の内、ホームショッピングを選択することにより特定のインターネットショッピングサイトに接続する手段と、該インターネットショッピングサイトのショッピングガイドを画面に表示する手段と、画面表示したショッピングガイドを選択する手段と、選択したショッピングガイドに係わるショッピング情報を画面表示する手段と、接続したインターネットショッピングサイトの案内人との間で音声通話する音声通話手段と、接続したインターネットショッピングサイトの案内人の画像を画面上に表示する手段と、画面上の撮像情報表示選択マークを選択することにより画面上に表示したインターネットショッピングサイトの案内人の画像をON/OFF切り換えする手段と、操作者の画像をインターネットショッピングサイトの案内人に伝達する手段とを備えた構成。
【００１１】
一覧表示された前記選択事項の内、ホームセキュリティを選択することにより、人、動物等に装着した血圧計等の医療機器の情報を内部情報として取得する手段と、該内部情報を画面上に表示する手段と、該内部情報を特定の医療機関などに伝達する手段と、前記医療機関からの外部撮像情報を画面上に表示する手段と、該医療機関との間で音声通話する手段と、内部撮像情報を医療機関に伝送する手段とを備えた構成。
【００１２】
一覧表示された前記選択事項の内、映画等配信サービスを選択することにより、配信サイトの案内人との間で音声通話する音声通話手段と、配信サイトの案内人の画像を画面上に表示する手段と、操作者の画像を配信サイトの案内人に伝送する手段とを備えた構成。
一覧表示された前記選択事項の内、郵政サービスを選択することにより、郵便、郵便貯金、簡易保険等の郵政サービスガイド項目を画面上に表示する手段と、画面上に表示した郵政サービスガイド項目を選択する手段と、選択した郵政サービスガイド項目に係わるサービス情報を画面上に表示する手段と、選択した郵政事業ガイド項目に係わるサービスの案内人との間で音声通話する音声通話手段と、該案内人の画像を画面上に表示する手段と、操作者の画像をこの案内人に伝送する手段とを備えた構成。
【００１３】
特別な操作を行うことなく内部撮像情報を取得できるように、撮影部に被せたキャップを取り外すことで、内部撮像情報を取得可能としても良い。
必要に応じてマザーボードを交換したり、拡張できるように、マザーボードをカセット式にして脱着可能としても良い。
【００１４】
【発明の実施の形態】
以下、本発明の実施形態を図面に基づいて詳細に説明する。
図３は、本発明の第１の実施形態を示す構成ブロック図である。図３に示すように、本発明の情報通信装置１はパーソナルコンピュータ用のマザーボード（以下、ＰＣと称する）で制御される。ＰＣは、マイクロコンピュータ（以下、CPUと称する）、リードオンリメモリ（以下、ROMと称する）、ランダムアクセスメモリ（以下、RAMと称する）、ハードディスク（以下、HDDと称する）等で構成される。
【００１５】
ＲＯＭには、ＰＣを起動するためのブートローダが実装される。HDDに記憶されたプログラムは、オペレーティングシステムOS、入出力ドライバー、アプリケーション等で構成され、このプログラムをRAM上に展開してCPUでプログラム制御を行う。
ＰＣは、USBインタフェース、キーボードインタフェース、マウスインタフェース、IDEインタフェース、RS232インタフェース、ビデオインタフェース、SCISインタフェース等の汎用的なインタフェースを具備する。
【００１６】
これらのインターフェイスに、通信装置MDM1、スピーカSP1、マイクMIK1、カメラCAM１、カメラCAM２、センサーSNC1、液晶表示装置LCD1、ファックスFAX１、タッチパネルTP1、マウスMUS1、キーボードKB1、DVDドラィブDVD1及びICカード・リーダライターICR1より成る入出力装置が接続される。
また、図１及び図２に示すように、ＰＣは、はめ込むだけで上記各入出力装置との接続が可能なカセット式になっており、修理や拡張を行う際に簡単に情報通信装置１へ脱着できるようになっている。
そして、情報通信装置１は、インターフェイスに接続された上記入出力装置を用いて、テレビ電話、留守番電話、ＦＡＸ、メール、インターネット、ホームショッピング、ホームセキュリティ、映画等配信サービス及び郵政サービスの各機能を果たすようにプログラムされている。
【００１７】
外部との通信を行う通信装置は、USBインタフェース、RS232インタフェース、PCIバス、PCMCIAバス等の、ＰＣが具備する汎用的なインタフェースに接続される。
本実施形態においては、通信装置MDM1はADSLモデモであり、ＰＣのUSBインタフェースに接続される。なお、通信装置MDM1は使用する回線によって自由に選定することができる。例えばLANであればLANカード、ISDNであればISDNモデモなどとなり、必然的に、選定した通信装置に合致するＰＣのインタフースに接続される。
【００１８】
通信装置MDM1は、外部情報及び外部撮像情報を取得する手段となり、内部情報及び内部撮像情報を外部に伝送する手段となる。本実施例で説明する外部情報及び外部撮像情報の取得、内部情報及び内部撮像情報の外部への伝送は、通信装置MDM1を物理的インタフェースとして動作する。
また、外部情報及び外部撮像情報の取得とは、外部から伝送された情報を利用可能な状態にＰＣで処理することを含み、内部情報及び内部撮像情報の外部への伝送は、通信相手が受信して処理可能な状態にＰＣで処理することを含む。
【００１９】
スピーカSP1は、USBインタフェースに接続され、音声の外部情報、ＰＣで内部発生させた音声を出力する。このスピーカSP1によって、テレビ電話、留守番電話、ホームショッピング、ホームセキュリティ、映画等配信サービス等の機能を果たす際に音声出力し、音声通話を行うことができる。
マイクMIK1は、情報通信装置１の側部に設けられた受話器２に組み込まれ、USBインタフェースに接続されている。そして、マイクMIK1によって、テレビ電話、ホームショッピング、ホームセキュリティ、映画等配信サービス等の際に、情報通信装置１の操作者の音声を内部情報として入力し、音声通話を行うことができる。
【００２０】
撮影部であるカメラCAM１は、ＣＣＤカメラより成り、情報通信装置１の正面隅部に設置されて、USBインタフェースに接続される。
また、カメラCAM１にはキャップ３が着脱自在に被せてあり、キャップ３を外すと、カメラCAM１が情報通信装置１の正面に向かい合う操作者を撮影し、テレビ電話、留守番電話、ホームショッピング、ホームセキュリティ、映画等配信サービス等の内部撮像情報として入力するようになっている。
撮影部であるカメラCAM２は、玄関等の建物出入り口に設置されると共に、USBインタフェースに接続され、ホームセキュリティ機能において、玄関等への訪問者を撮影して内部撮像情報として取り込むようになっている。
【００２１】
また、センサーSNC1も、玄関等の建物出入り口に設置されると共に、USBインタフェースに接続され、ホームセキュリティにおいて玄関等への訪問者を検知する。そして、センサーSNC1が訪問者を検知すると、カメラCAM２が作動して訪問者を撮影する。
さらに、セキュリティーロックをした後、侵入者があることをセンサーSNC1が検知すれば、センサーSNC1に設けられたマイクで呼びかけたり、セキュリティーセンタや警察に通報することもできる。
【００２２】
液晶表示装置LCD1は、情報通信装置１の正面中央部に設置され、ビデオインタフェースに接続される。そして、液晶表示装置LCD1の画面に、選択事項、通信装置MDM1で取得した外部情報及び外部撮像情報、各入力装置から取得した内部情報、カメラCAM１及びカメラCAM２で取得した内部撮像情報等を表示できる。
ファックスFAX１は、情報通信装置１の正面上部に設置され、USBインタフェースに接続される。ファックスFAX１は、ファックスのデータ入力及びファックスのデータ出力を行い、液晶表示装置LCD1の画面データの出力、イメージデータの入力もできる。
【００２３】
タッチパネルTP1は、RS232インタフェースに接続される。また、タッチパネルTP1は、液晶表示装置LCD1の画面に重ねて実装され、画面上に表示された選択事項、選択事項に係る選択肢、各種マーク等に触れることにより選択を行うことができる。
マウスMUS1は、マウス専用インタフェースに接続され、クリックすることによって、画面上に表示された選択事項、各種マーク等の選択を行うことができるようになっている。
【００２４】
キーボードKB1は、キーボード専用インタフェースに接続され、このキーボードKB1によって、画面上に表示された選択事項、各種マーク等の選択、文字入力等を行うことができる。
DVDドラィブDVD1は、IDEインタフェースに接続され、ＰＣへのプログラムインストール、ファイル入力等に用いられる。
ICカード・リーダライターICR1は、USBインタフェースに接続され、ホームショッピングをした時に決済用カード情報の入力等を行う。
【００２５】
次に、情報通信装置１の動作手順を処理ルーチンと共に説明する。
図４は、情報通信装置１の各機能を選択する処理ルーチン１を示す。
情報通信装置１を作動させると、処理ルーチン１のSTEP１−０１を行う。
STEP１−０１では、情報通信装置１の有するテレビ電話、留守番電話、ＦＡＸ、メール、インターネット、ホームショッピング、ホームセキュリティ、映画等配信サービス及び郵政サービスの各機能を、図１４に示すように、液晶表示装置LCD1の画面に選択事項として一覧表示する。なお、図１４の画面には、映画等配信サービスを「オンデマンドシアター」として、郵政サービスを「マイポストオフィス」としてそれぞれ表示してある。
【００２６】
次のSTEP１−０２では、情報通信装置１の終了を確認する。情報通信装置１の終了はいつでも選択できるようにする。
情報通信装置１の終了を選択しない場合は、順次STEP１−０３〜STEP１−１０に進み、タッチパネルTP1、マウスMUS1或いはキーボードKB1により、上記選択事項のいずれかを選択する。
【００２７】
STEP１−０３において“テレビ電話”を選択するとSTEP１−１２に進み、図５に示す処理ルーチン２によりテレビ電話機能が利用可能となる。
STEP1−０４において“留守番電話”を選択するとSTEP１−１３に進み、図６に示す処理ルーチン３により留守番電話機能が利用可能となる。
STEP1−０５において“ＦＡＸ”を選択するとSTEP１−１４に進み、図７に示す処理ルーチン４によりＦＡＸ機能が利用可能となる。
STEP1−０６において“メ−ル”を選択するとSTEP１−１５に進み、図８に示す処理ルーチン５によりメール機能が利用可能となる。
０STEP1−０７において“インターネット”を選択するとSTEP１−１６に進み、図９に示す処理ルーチン６によりインターネット機能が利用可能となる。
【００２８】
STEP1−０８において“ホームショッピング”を選択するとSTEP１−１７に進み、図１０に示す処理ルーチン７によりホームショッピング機能が利用可能となる。
STEP1−０９において“ホームセキュリティ”を選択するとSTEP１−１８に進み、図１１に示す処理ルーチン８によりホームセキュリティ機能が利用可能となる。
STEP1−１０において“オンデマンドシアター”を選択するとSTEP１−１９に進み、図１２に示す処理ルーチン９により映画等配信サービス機能が利用可能となる。
STEP1−１１において“マイポストオフィス”を選択するとSTEP１−２０に進み、図１３に示す処理ルーチン１０により郵政サービス機能が利用可能となる。
【００２９】
図５は、テレビ電話機能の処理ルーチン２を示す。
一覧表示された選択事項からテレビ電話を選択すると、先ず、STEP２−０１においてテレビ電話の終了を確認する。テレビ電話の終了を選択すると処理ルーチン１のSTEP1−０１に戻り、画面に選択事項を一覧表示する。
なお、テレビ電話の終了は、テレビ電話の通話完了時でも、通話途中でも選択できる。
【００３０】
STEP２−０１においてテレビ電話の終了を選択しない場合はSTEP２−０２に進み、相手先回線を選択できるように、予め記憶してある相手先アドレスを選択肢として液晶表示装置LCD1の画面に一覧表示する（図１５）。
相手先回線の選択は、予め登録された相手先氏名と電話番号との対応から、相手先氏名により選択する事も可能であり、電話番号を直接選択する事も可能である。
一覧表示された相手先アドレスから、タッチパネルTP1、マウスMUS1或いはキーボードKB1により任意のアドレスを選択して回線接続し、STEP２−０３に進む。
【００３１】
STEP２−０３では、相手先回線の選択が完了したかを確認する。選択が完了していない場合はSTEP２−０２に戻り、完了した場合はSTEP２−０４に進む。
STEP２−０４では、回線が正常に接続されたかを確認する。回線が接続された場合はSTEP２−０７に進み、接続されていない場合はSTEP２−０５に進む。
STEP２−０５では、図１８に示すように、回線接続を再試行するか、若しくは接続を中止して、テレビ電話を終了するかを選択できるよう画面に表示する。
STEP２−０６において再試行が選択されると、STEP２−０３の後に戻って回線接続を再試行する。一方、中止が選択されると、処理ルーチン１のSTEP1−０１に進んで画面に選択事項を一覧表示し、テレビ電話を終了する。
【００３２】
STEP２−０７では、情報通信装置１のカメラCAM１による内部撮像情報の表示が選択されているかを確認している。
カメラCAM１のレンズ部に被せたキャップ３が取りはずされている場合、内部撮像情報の取得が選択されているものと見なし、情報通信装置１はカメラCAM１が撮影した操作者の画像を内部撮像情報として取得する。
内部撮像情報の表示が選択された場合、もしくは選択されている場合、STEP２−０８において内部撮像情報を画面に表示する。
そして、次のSTEP２−０９において、マイクMIK1で入力した音声と情報通信装置１の内部撮像情報を相手先に送出し、STEP２−１０に進む。相手先に操作者の画像を伝送したくない場合は、カメラCAM１のレンズ部にキャップ３を被せておけば良い。
【００３３】
次のSTEP２−１０において、相手先から伝送された音声をスピーカSP1で出力する。
さらに、STEP２−１１において、外部撮像情報の表示の有無を選択する。
外部撮像情報の表示が選択された場合は、STEP２−１２に進んで、相手先から伝送された外部撮像情報を画面に表示する。
内部撮像情報及び外部撮像情報の表示の有無は、画面上に表示される撮像情報表示選択マーク４（図１５及び図１６）をタッチパネルTP1、マウスMUS1或いはキーボードKB1で選択操作して、その操作回数等により表示と非表示とに切り換えることができる。
【００３４】
情報通信装置１は、内部撮像情報並びに外部撮像情報の画面表示を、任意の時点で終了することを可能とする。即ち、テレビ電話の途中でも、内部撮像情報と外部撮像情報の画面表示終了が選択されると、内部撮像情報及び外部撮像情報の画面表示は終了される。そして、後述するように、テレビ電話以外の機能を選択して、その途中でテレビ電話機能に移行した時、内部撮像情報及び外部撮像情報の表示終了が選択されると、テレビ電話機能に移行する直前の画面表示へ自動的に復帰する。
なお、内部撮像情報及び外部撮像情報が画面に表示されている場合、撮像情報表示選択マーク４ではなく、同じ画面に表示されている選択事項のマークを選択することにより、テレビ電話機能に移行する直前の画面表示へ復帰することもできる。
テレビ電話機能に移行する直前の画面表示への復帰は、情報通信装置１の有する各機能とテレビ電話機能とを並行して利用可能とするものである。
【００３５】
図１６は、外部撮像情報の表示のみが選択された場合の画面を示し、図１７は、内部撮像情報と外部撮像情報双方の表示が選択された場合の画面を示す。図１７において、右上・小画像が内部撮像情報であり、左下・大画像が外部撮像情報である。また、図１７は、画面上の選択事項のマークを選択することにより、テレビ電話機能に移行する直前の画面へ復帰し、内部撮像情報及び外部撮像情報が非表示となる場合の図なので、撮像情報表示選択マーク４は画面に表示されていない。
テレビ電話が終了したら、STEP２−１３において相手先回線を切断し、STEP２−０１に戻る。
【００３６】
図６に、留守番電話機能の処理ルーチン３を示す。
画面に表示された選択事項の内から留守番電話機能が選択されると、先ず、STEP３−０１で、留守番電話機能の終了を選択するか否かを確認する。
留守番電話の終了は、再生完了で終える場合、再生の途中で終える場合等、留守番電話機能を選択した後の如何なる場合においても選択できる。
留守番電話の終了が選択されると、処理ルーチン１のSTEP１−０１に戻り、情報通信装置１の有する各機能を選択するための選択事項一覧を画面に表示し、留守番電話機能を終了する。
【００３７】
留守番電話機能の終了を選択しない場合はSTEP３−０２に進み、図１９に示すように、直近からの複数の受信履歴を選択肢として画面に一覧表示する。
受信履歴の表示としては、予め登録された電話番号と相手先氏名の対応から、相手先氏名、受信日時、電話番号等が一覧表示され、この内から再生する受信情報の任意選択を可能とする。
次に、STEP３−０３において、受信履歴のいずれかを選択したか否か確認し、選択していない場合はSTEP３−０４において受信履歴のいずれかを選択する。
選択が完了したら、STEP３−０５において、選択された受信履歴に対応する受信情報から音声情報を取得し、スピーカSP1で再生する。
再生が終了したら、STEP３−０１に戻る。
【００３８】
図７は、ＦＡＸ機能の処理ルーチン４を示す。
選択事項の内からＦＡＸ機能を選択すると、STEP４−０１においてＦＡＸ終了を選択するかどうか確認する。
ＦＡＸ機能の終了は、ＦＡＸ機能を選択した後の如何なる場合においても選択できる。
ＦＡＸ機能の終了が選択されると、処理ルーチン１のSTEP１−０１に進み、情報通信装置１の有する各機能を選択できるよう選択事項を画面に一覧表示し、ＦＡＸ機能を終了する。
【００３９】
ＦＡＸ機能の終了を選択しない場合はSTEP４−０２に進み、ＦＡＸ送信か、ＦＡＸ受信かの選択を行う。
ＦＡＸ受信が選択されるとSTEP４−０３に進んで、図２０に示すように、直近からの受信履歴を画面に一覧表示する。受け履歴一覧には、予め登録された電話番号と相手先氏名の対応から、相手先氏名、受信日時、電話番号等が表示され、この一覧から再生する受信情報の任意選択を可能とする。
次のSTEP４−０４では、受信履歴から、表示しようとする受信情報を選択する。
STEP４−０５においては、選択された受信情報を取得し、図２１に示すように画面へ表示する。
【００４０】
一方、ＦＡＸ送信が選択された場合はSTEP４−０６に進み、図２２に示すように、送信先のアドレスを画面に一覧表示する。
そして、次のSTEP４−０７で、ＦＡＸ送信する相手先回線を一覧表示されたアドレスから選択する。
相手先回線の指定は、ＦＡＸ受信と同様、予め登録されたアドレス帳で相手先氏名と電話番号との対応から、相手先氏名を指定する事も可能であり、電話番号を直接指定する事も可能である。
【００４１】
次のSTEP４−０８においては、送信しようとする送信文を情報通信装置１のスキャナーで内部撮像情報として取得し、図２３に示すように画面に表示する。
次いで、STEP４−０９において、選択された相手先回線を接続し、送信文を送信する。
さらに、STEP４−１０において回線が正常に接続されたか、正常に送信されたかを確認する。接続、または送信に失敗した場合、更に所定回数再試行する。  所定回数の再試行でも、接続又は送信に失敗した場合、STEP４−１１において、図２４に示すように送信不可であることを画面に表示する。
【００４２】
STEP４−１２において、送信の再試行か、中止かの選択をする。
再試行が選択された場合、STEP４−０９にて再試行する。
一方、中止が選択された場合、処理ルーチン１のSTEP１−０１に進み、選択事項を画面に一覧表示して、ＦＡＸ機能を終了する。
また、相手先回線の接続及び送信に異常がなければ、STEP４−１３において相手先回線を切断し、ＦＡＸ送信を終了してSTEP４−０１に戻る。
【００４３】
図８は、メール機能の処理ルーチン５である。
一覧表示された選択事項の内からメール機能を選択すると、先ずSTEP５−０１において、メール機能の終了を選択するかどうか確認する。
メ−ル機能の終了は、メール機能を選択した後、如何なる場合においても選択できる。
メール機能の終了が選択されると、処理ルーチン１のSTEP１−０１に戻って選択事項を画面に一覧表示し、メール機能を終了する。
【００４４】
メール機能の終了を選択しない場合は、順次STEP５−０２、STEP５−０３、STEP５−０６に進み、レタックス、Ｅメール、ＦＡＸのいずれかを選択する。  STEP５−０２においてレタックスが選択されると、ＦＡＸの送信処理であるSTEP４−０６からSTEP４−１３までを行う。
STEP５−０３において、Ｅメールを選択するとSTEP５−０４に進み、図２５に示すように画面が電子メール画面として表示され、電子メール送信、電子メール受信、電子メール送信履歴表示、電子メール受信履歴表示等の一般的な電子メールの利用が可能となる。
【００４５】
情報通信装置１では、Ｅメールにより手書き原稿の送信を可能としている。この場合、STEP５−０５において、手書き原稿をスキャナーで内部撮像情報として取り込み、Ｅメールに添付している。
STEP５−０６でＦＡＸを選択すると処理ルーチン１のSTEP１−１４に進み、処理ルーチン４によるＦＡＸの利用が可能となる。
操作が終了したらSTEP５−０１に戻る。
【００４６】
図９は、インターネット機能の処理ルーチン６を示す。
一覧表示された選択事項の内からインターネット機能を選択すると、STEP６−０１において、インターネットの終了を選択するか否か確認する。
インターネットの終了は、如何なる場合においても選択できる。
インターネットの終了が選択されると、処理ルーチン１のSTEP１−０１に戻り、選択事項を画面に一覧表示して、インターネットを終了する。
STEP６−０１においてインターネットの終了を選択しない場合はSTEP６−０２に進み、情報通信装置１は、予め設定されたプロバイダに接続して、図２６に示すように画面をインターネット画面として表示し、一般的なインターネットの利用が可能となる。
インターネットが終わったら、STEP６−０１に戻る。
【００４７】
図１０は、ホームショッピング機能の処理ルーチン７を示す。
選択事項の内からホームショッピング機能を選択すると、先ずSTEP７−０１において、ホームショッピング機能の終了を選択するかどうか確認する。
ホームショッピング機能の終了は、如何なる場合においても選択できる。
ここでホームショッピングの終了が選択されると、処理ルーチン１のSTEP１−０１に戻り、情報通信装置１の有する各機能に対応する選択事項を画面に一覧表示する。
【００４８】
ホームショッピング機能の終了を選択しない場合にはSTEP７−０２に進み、特定のインターネットショッピングサイトに接続して、画面をインターネットショッピング画面として表示する。そして、図２７に示すようにインターネットショッピングサイトのショッピングガイドを画面に表示し、画面表示したショッピングガイドを選択し、図２８に示すように選択したショッピングガイドに係わるショッピング情報を画面に表示する等の一般的なインターネットショッピング機能を使用可能としている。
また、STEP７−０３において、情報通信装置１のＩＣガード・リーダライターICR1により決済用カード情報を入力して、この情報を外部に伝送し、オンラインショッピングでの購入代金をカードで決済することも可能である。
【００４９】
さらに、情報通信装置１は、インターネットのショッピングサイトの案内人（案内係）と、テレビ電話によって直接対話することを可能としている。
即ち、STEP７−０４において、画面表示されている案内人を選択すると、処理ルーチン２によりテレビ電話で案内人との直接対話が可能となり、最適なショッピングが実現できる。
STEP７−０４で、画面表示されている案内人を選択しない場合は、STEP７−０１に戻る。
【００５０】
図１１は、ホームセキュリティ機能の処理ルーチン８を示す。
一覧表示された選択事項の内ホームセキュリティ機能を選択すると、STEP８−０１で、ホームセキュリティ機能の終了を選択するかどうか確認する。
ホームセキュリティの終了は、ホームセキュリティ機能を選択した後の如何なる場合においても選択できる。
ホームセキュリティの終了が選択されると、処理ルーチン１のSTEP１−０１に戻り、全ての選択事項を画面に一覧表示して、ホームセキュリティ機能を終了する。
【００５１】
ホームセキュリティ機能の終了を選択しない場合はSTEP８−０２に進み、訪問者の情報を選択するかどうか確認する。
訪問者の情報を選択するとSTEP８−０３に進み、図２９に示すように、直近からの複数の訪問者履歴を画面に一覧表示する。訪問者履歴の表示としては、カメラCAM2で取得した内部撮像情報、訪問日時等が一覧表示される。
次のSTEP８−０４で、一覧表示された訪問者履歴から任意に訪問者情報を選択する。
【００５２】
なお、図２９に示すように、人、動物等に装着した血圧計、脈拍計等の医療機器に関する情報を、画面に訪問者履歴と併せて表示し、STEP８−０４で医療機器に関する情報を選択すると後述するSTEP８−０７に進むようにしても良い。
STEP８−０４で訪問者情報を選択すると、STEP８−０５において選択された訪問者情報の音声再生を行うと共に、図３０に示すように内部撮像情報を再生し画面に表示してから、STEP８−０１に戻る。
STEP８−０４で訪問者情報を選択しない場合は、STEP８−０３に戻る。
【００５３】
訪問者情報を選択しない場合はSTEP８−０６に進み、人、動物等に装着した血圧計、脈拍計等の医療機器に関する情報を選択するかどうか確認する。医療機器に関する情報を選択しない場合はSTEP８−０１に戻り、選択した場合はSTEP８−０７に進む。
STEP８−０７では、医療情報を取得して画面に表示する。
医療に関する情報であれば医療機関等、それ以外の情報であれば対応する相手先に情報を伝達するため、次に処理ルーチン４のSTEP４−０６からSTEP４−０７を行って相手先回線を選択する。
次のSTEP８−０８において、相手先回線に接続して情報を送出し、さらに処理ルーチン４のSTEP４−１０からSTEP４−１２により、正常に送出されたかを確認している。
【００５４】
なお、カメラCAM1により取得する内部撮像情報（患者等の影像）、キーボードKB1によって入力した内部情報等を画面に表示して送り出すこともでき、この情報情報如何によっては、医療弱者、或いは医療過疎地での介護／監視等の高度な利用形態が可能となる。
情報通信装置１は任意の時点で、処理ルーチン２によるテレビ電話の利用を可能としている。
利用者が必要と判断すれば、STEP８−０８の情報送出と併せて、テレビ電話の利用も可能である。テレビ電話を併用することで、相手先との対話も可能となり、最適な利用形態が実現できる。
【００５５】
図１２は、映画等配信サービス機能の処理ルーチン９を示す。
選択事項の内、映画等配信サービスを選択すると、STEP９−０１において映画等配信サービス機能の終了を選択するかどうか確認する。
映画等配信サービス機能の終了は、如何なる場合においても選択できる。
STEP９−０１において映画等配信サービス機能の終了が選択されると、処理ルーチン１のSTEP１−０１に戻って、選択事項を画面に一覧表示し、映画等配信サービス機能を終了する。
【００５６】
STEP９−０１において映画等配信サービス機能の終了を選択しない場合はSTEP９−０２に進む。STEP９−０２においてインターネットの配信サイトに接続し、次のSTEP９−０３において、図３１に示すように映画の配信ガイドを選択肢として画面に表示する。
次いで、STEP９−０４において、画面に表示された配信ガイドから任意のものを選択する。ここで選択すると、STEP９−０５において選択された映画のプレビューを行い、図３２に示すように影像を画面に表示すると共に、その音声をスピーカSP1で再生する。なお、プレビューは、購入するか否かに拘わらず行うことができる。
【００５７】
プレビューを通してSTEP９−０６において視聴したい映画等が決定すると、STEP９−０７において映画等の配信代金を情報通信装置１のＩＣカード・リーダライターICR1により決済する。
すると、次のSTEP９−０８において、選択した映画等が配信されるので、配信された映画等を情報通信装置１でリアルタイムに視聴することも、場合によっては情報通信装置１に配信情報を蓄積し、ビデオ再生することも可能である。
STEP９−０６で映画等が決定されない場合は、STEP９−０３に戻る。
情報通信装置１では、配信サイトの案内人（案内係）とテレビ電話によって、直接対話することができる。
画面表示されている案内人を選択すると、処理ルーチン２により、テレビ電話で案内人との直接対話が可能となり、最適な利用形態が実現できる。
【００５８】
図１３は、郵政サービス機能の処理ルーチン１０を示す。
一覧表示された選択事項の内から「マイポストオフィス」を選択すると、先ず、STEP１０−０１において、郵政サービス機能の終了を確認する。
郵政サービス機能の終了は、如何なる場合においても選択できる。
STEP１０−０１で郵政サービス機能の終了が選択されると、処理ルーチン１のSTEP１−０１に戻って選択事項を画面に一覧表示し、郵政サービス機能を終了する。
郵政サービス機能の終了を選択しない場合はSTEP１０−０２に進み、図３３に示すように、複数の郵政サービスガイド項目を選択肢として画面に一覧表示する。
【００５９】
一覧表示された郵政サービスガイド項目のいずれかを選択することで、これに対応する郵政事業庁、若しくは関係機関が運営するホームページ、あるいは郵政事業庁、若しくは関係機関が管轄する各種サービスを利用できる。
STEP１０−０３で簡易保険が選択された場合、STEP１０−０４において簡易保険関係のサービスを利用可能とする。
情報通信装置１は、簡易保険関係のサービスを利用するうえで必要な情報を画面に表示する。例えば、図３４に示すように簡易保険に関するガイドを画面に表示する。また、画面に表示されたガイド項目の内、案内人との対話を選択して、図３５に示すように、処理ルーチン２によりテレビ電話で簡易保険の案内人と直接対話することが可能である。
【００６０】
STEP１０−０５で郵便が選択された場合、STEP１０−０６において郵便関係のサービスを利用可能としている。
情報通信装置１は、郵便関係のサービスを利用するうえで必要な情報を画面に表示し、画面上で編集できるようにする。例えば、郵便物の宛名、集荷・配達に関する情報、レタックス情報等を画面に表示すると共に、入力できるようにする。
図３６は、郵便小包の宛名、文書作成、書留、速達等の情報を編集する画面であり、当該画面からレタックス、並びにＥメールも可能としている。
【００６１】
STEP１０−０７で郵便貯金が選択された場合、STEP１０−０８8において郵便貯金関係のサービスを利用可能としている。
情報通信装置１は、郵便貯金関係のサービスを利用する際に、口座照会、入出金、金利情報等の情報を画面に表示し、画面上で編集できるようにする。
図３７は、郵便貯金に関して口座照会を行う画面である。
STEP１０−０９でショッピングが選択された場合、STEP１０−１０において郵政事業庁、若しくは関係機関が運営するポスタルサービスサイト等のショッピングサイトに接続し、オンラインショッピングを可能としている。
STEP１０−１１でホームセキュリティが選択された場合、STEP１０−１２においてセキュリティ情報、例えば出入り口の施錠状況、冷暖房の作動状況等を、画面に表示し、画面上で操作できるようにする。
【００６２】
STEP１０−１３でテレビが選択された場合、STEP１０−１４においてテレビを視聴可能としている。
STEP１０−１５でＤＶＤが選択された場合、STEP１０−１６において処理ルーチン９により映画等配信サービス機能が利用可能となる。
また、簡易保険以外の選択肢を選んだ場合にも、処理ルーチン２によりテレビ電話が利用可能となり、各郵政サービスを利用するにあたり案内人（案内係）と直接対話することができる。
【００６３】
STEP１０−１７において、郵政事業庁が管轄・運営する各種サービスでの費用決裁を、情報通信装置１のＩＣカード・リーダライターICR1で入力した決済用カードで行うことができる。
また、各郵政サービスを利用する際には、STEP１０−１８に示すように、郵政事業庁、若しくは関係機関が管轄・運営する簡易保険、郵便、郵便貯金関係のホームページ等の郵政システムに接続できる。
【００６４】
なお、情報通信装置は、上記した全ての機能を備える必要はなく、他の機能を有することもできる。
また、一覧表示された選択事項の内からいずれかを選択した後も、これらの選択事項の表示を画面から消去することなく、選択した事項に関する選択肢或いは外部情報を選択事項と共に画面に表示して、画面上の他の選択事項を選択することにより、複数の機能を同時に実行できるようにしても良い。
【００６５】
【発明の効果】
本発明によれば、画面に一覧表示される選択事項のいずれかを選択することで、コンピュータの知識が全くない人にも、インターネット、オンラインショッピング、ホームセキュリティ等の様々な機能を、複雑な操作をすることなく容易に利用することができる。
また、これらの機能を利用する際に、音声と画像による相手先との直接対話が可能なことから、状況を確認しながら最適な情報を得ることができ、飛躍的に利便性が向上して、幅広い分野への適用が図れる。
【図面の簡単な説明】
【図１】本発明の情報通信装置のキャップを取り外した状態の斜視図
【図２】本発明の情報通信装置のマザーボードを取り外した状態の斜視図
【図３】本発明の情報通信装置の構成を示すブロック図
【図４】処理ルーチン１を示す流れ図
【図５】処理ルーチン２を示す流れ図
【図６】処理ルーチン３を示す流れ図
【図７】処理ルーチン４を示す流れ図
【図８】処理ルーチン５を示す流れ図
【図９】処理ルーチン６を示す流れ図
【図１０】処理ルーチン７を示す流れ図
【図１１】処理ルーチン８を示す流れ図
【図１２】処理ルーチン９を示す流れ図
【図１３】処理ルーチン１０を示す流れ図
【図１４】選択事項を表示した画面を示す図
【図１５】テレビ電話における相手先アドレスを表示した画面を示す図
【図１６】テレビ電話において外部撮像情報を表示した画面を示す図
【図１７】テレビ電話において外部撮像情報及び内部撮像情報を表示した画面を示す図
【図１８】テレビ電話において回線接続再試行の確認画面を示す図
【図１９】留守番電話の受信履歴を表示した画面を示す図
【図２０】ファックスの受信履歴を表示した画面を示す図
【図２１】ファックスの受信情報を表示した画面を示す図
【図２２】ファックスのアドレスを表示した画面を示す図
【図２３】ファックスの送信文を表示した画面を示す図
【図２４】ファックスにおいて送信再試行の確認画面を示す図
【図２５】メール画面を示す図
【図２６】インターネット画面を示す図
【図２７】ショッピングガイドを表示した画面を示す図
【図２８】ショッピング情報を表示した画面を示す図
【図２９】訪問者履歴を表示した画面を示す図
【図３０】カメラCAM2の撮像を表示した画面を示す図
【図３１】配信ガイドを表示した画面を示す図
【図３２】プレビューを表示した画面を示す図
【図３３】郵政サービスガイド項目を表示した画面を示す図
【図３４】簡易保険のガイドを表示した画面を示す図
【図３５】郵政サービスにおけるテレビ電話画面を示す図
【図３６】郵便のサービスにおける画面を示す図
【図３７】郵便貯金のサービスにおける画面を示す図
【符号の説明】
１  情報通信装置
２  受話器
３  キャップ
４  撮像情報表示選択マーク
ＰＣ  マザーボード
MDM1  通信装置
SP1   スピーカ
MIK1  マイク
CAM1  カメラ
CAM2  カメラ
SNC1  センサー
FAX1  ファックス
LCD1  液晶表示装置
TP1   タッチパネル
MUS1  マウス
KB1   キーボード
DVD1  ＤＶＤドライブ
ICR1  ＩＣカード・リーダライター
【図１】
0004031949.tif 000002
【図２】
0004031949.tif 000003
【図３】
0004031949.tif 000004
【図４】
0004031949.tif 000005
【図５】
0004031949.tif 000006
【図６】
0004031949.tif 000007
【図７】
0004031949.tif 000008
【図８】
0004031949.tif 000009
【図９】
0004031949.tif 000010
【図１０】
0004031949.tif 000011
【図１１】
0004031949.tif 000012
【図１２】
0004031949.tif 000013
【図１３】
0004031949.tif 000014
【図１４】
0004031949.tif 000015
【図１５】
0004031949.tif 000016
【図１６】
0004031949.tif 000017
【図１７】
0004031949.tif 000018
【図１８】
0004031949.tif 000019
【図１９】
0004031949.tif 000020
【図２０】
0004031949.tif 000021
【図２１】
0004031949.tif 000022
【図２２】
0004031949.tif 000023
【図２３】
0004031949.tif 000024
【図２４】
0004031949.tif 000025
【図２５】
0004031949.tif 000026
【図２６】
0004031949.tif 000027
【図２７】
0004031949.tif 000028
【図２８】
0004031949.tif 000029
【図２９】
0004031949.tif 000030
【図３０】
0004031949.tif 000031
【図３１】
0004031949.tif 000032
【図３２】
0004031949.tif 000033
【図３３】
0004031949.tif 000034
【図３４】
0004031949.tif 000035
【図３５】
0004031949.tif 000036
【図３６】
0004031949.tif 000037
【図３７】
0004031949.tif 000038